(57)【要約】【解決手段】針先６、針先基部５にカエシを形成しないスレ針において、針先６と先曲げ部４ｂとの間の針先基部５に前記針先基部５の長手方向と直交する方向に複数の溝７、７を形成したことを特徴とする釣針。【効果】魚が針先及び針先基部を胴軸と反対方向に引っ張る力を作用させた場合、針先及び針先基部に形成された複数の溝により、針先及び針先基部の曲がりを許容し、釣針が破断することを防止し、釣損じを防止する。【選択図】図１
0003203297.tif 000002
【実用新案登録請求の範囲】
【請求項１】
胴軸と、前記胴軸の下端の腰曲げ部と、腰曲げ部の前方に形成される先曲げ部とからなる湾曲部と、針先と、前記湾曲部との間に形成される針先基部と、からなり、
前記針先基部の前方側面または／及び左右側面に、前記針先基部の長手方向と直交する方向に複数の溝を形成したことを特徴とする釣針。
【請求項２】
針先の前方側面または／及び左右側面に、針先基部の長手方向と直交する方向に複数の溝を形成したことを特徴とする請求項１に記載の釣針。
【請求項３】
溝は、深さ方向に向かって溝幅が先細り状に形成されたことを特徴とする請求項１または２のいずれか１項に記載の釣針。
【請求項４】
溝は、その側方端に向かって先細り状に形成されたことを特徴とする請求項１、２または３のいずれか１項に記載の釣針。
【請求項５】
針先、針先基部にカエシを形成しないスレ針であることを特徴とする請求項１、２、３または４のいずれか１項に記載の釣針。 
【考案の詳細な説明】
【技術分野】
【０００１】
本考案は、主にスレ針と称して針先部に通常の「あご」または「カエシ」、「もどり（もどし）」が設けられていない釣針に関するものである。
【背景技術】
【０００２】
近年、競技釣りが盛んで、いわゆるキャッチ・アンド・リリースと称して、釣魚を釣った場所に戻すような習慣が定着しつつある。このような慣習を守るためには、釣魚に傷を付けないようにしなければならない。
【０００３】
このような趣旨で考え出されたのがスレ針で、欧米でも早くからＢＡＲＢＬＥＳＳ  ＨＯＯＫＳと称され、鮭や鱒を釣るのに愛用されてきた。この針を使えば、釣魚に傷を付けることなく、リリースしてやると元気に戻っていくので、上記慣習を守るには最適な釣針であると言える。
【０００４】
しかしながら、このスレ針を使用した場合には、慣れない釣損じが起り得る。針先部に通常の「あご」または「カエシ」、「もどり（もどし）」が設けられていないからである。それを解消するために、本出願人は、針先部の内側であって、あごまたはもどりを設けるべき付近に、複数の溝を形成することを提案している（例えば特許文献１）。このようにすることで、釣魚に傷を付けずに、しかも、釣り損じしないという、相反する要望を満たすことができるようになった。
【先行技術文献】
【特許文献】
【０００５】
【特許文献１】登録実用新案第３１５３９９３号公報
【考案の概要】
【考案が解決しようとする課題】
【０００６】
しかしながら、上記釣針において、釣針の強度に欠ける問題があった。本考案は、この欠点を解消しつつ、釣魚に傷を付けずに、しかも、釣針が破損して釣り損じしないという相反する要望を満たすことができるようにした。
【課題を解決するための手段】
【０００７】
上記課題を解決するため、本考案の釣針は、胴軸と、前記胴軸の下端の腰曲げ部と、腰曲げ部の前方に形成される先曲げ部とからなる湾曲部と、針先と、前記湾曲部との間に形成される針先基部と、からなり、前記針先基部の前方側面または／及び左右側面に、前記針先基部の長手方向と直交する方向に複数の溝を形成したことを特徴とする。
【０００８】
また、針先の前方側面または／及び左右側面に、針先基部の長手方向と直交する方向に複数の溝を形成したことが好ましい。
【０００９】
また、溝は、深さ方向に向かって溝幅が先細り状に形成されたことが好ましい。
【００１０】
また、溝は、その側方端に向かって先細り状に形成されたことが好ましい。
【００１１】
また、本考案の釣針は、針先、針先基部にカエシを形成しないスレ針であることが好ましい。
【考案の効果】
【００１２】
本考案の釣針は、魚が針先及び針先基部を胴軸方向以外の方向に引っ張る力を作用させた場合、針先基部や針先に複数の溝が形成されることにより、この針先基部の曲がりを許容し、釣針が破断することを防止し、釣損じを防止することができる。
【図面の簡単な説明】
【００１３】
【図１】本考案の全体を示す斜視図である。
【図２】本考案の第１実施形態を正面視から示すものであり、（ａ）はその全体を示す正面図、（ｂ）は針先基部と針先のみを拡大した一部拡大正面図である。
【図３】本考案の第１実施形態を左側面視から示すものであり、（ａ）はその全体を示す左側面図、（ｂ）は針先から先曲げ部までを拡大した一部拡大左側面図である。
【図４】本考案の第２実施形態を正面視から示すものであり、（ａ）はその全体を示す正面図、（ｂ）は針先基部と針先のみを拡大した一部拡大正面図である。
【図５】本考案の第３実施形態を左側面視から示す針先基部と針先の身を拡大した一部拡大左側面図である。
【考案を実施するための形態】
【００１４】
本考案を実施するための形態について図面に沿って説明する。本考案の釣針１を正面視したときを図２（ａ）、（ｂ）に、左側面視したときを図３（ａ）、（ｂ）に示す。胴軸２から針先６への方向を前方とし、その反対を後方として説明する。
【００１５】
図１に示すように、本実施形態に係る釣針１は、カエシ（もどし）がない、いわゆるスレ針である。釣針１の基本的形態は、胴軸２と、胴軸２の上端から連続するちもと部３と、胴軸２の下端から連続する湾曲部４と、湾曲部４の端部から連続する針先基部５と、針先基部５から連続する針先６とからなる。
【００１６】
湾曲部４は、胴軸２の下端から連続するもので、曲率半径が大きく、緩やかなアールを描いた湾曲となる腰曲げ部４ａと、針先基部５の手前で曲率半径が比較的小さく、ほぼ直角状に湾曲する先曲げ部４ｂとからなる。この湾曲部４は、実施形態のように腰曲げ部４ａと先曲げ部４ｂとに明確に分かれるものだけでなく、一連のアールによる湾曲である場合や、腰曲げ部４ａと先曲げ部４ｂの曲率半径が異なるものであってもよい。
【００１７】
針先基部５とは、湾曲部４と針先６との間に位置する部分である。具体的にいうと、湾曲部４の針先側端部から針先が形成されるまでの部分であって、湾曲部４の先曲げ部４ｂによって曲げられた部分がほぼ上方へ向けて直線状となる部分をいう。針先６とは、釣針１の先端部分であって、当該部分を尖らせたものである。
【００１８】
第１の実施形態の釣針１は、図２（ａ）、（ｂ）に示すように、この針先基部５の前方側面５ａに複数の溝７、７を形成することを特徴とする。略円筒状の針先基部５のうち、胴軸２側を後方側面５ｂとし、内側面５ｂの反対側を前方側面５ａとする。前方側面５ａと後方側面５ｂとの間に、左右側面５ｃ、５ｃがあり、溝７、７はこの側方面５ｃ、５ｃにまで及んでいてもよい（図３（ｂ）参照）。
【００１９】
溝７、７の形態は、針先基部５や胴軸２の長手方向と直交する方向に形成される。溝７、７は、図面上、５つの溝が形成されているが、３つや７つやそれ以外の数であってもよい。また、溝７、７は針先基部５のみでなく、針先６にも形成されていてもよい。
【００２０】
第１の実施形態の溝７、７の形態は、図２（ａ）、（ｂ）に示すように、その深さ方向に向かって先細り状に形成され、具体的には略Ｖ字状に形成される。食いついた魚が逃げようとするとき、針先６及び針先基部５に矢印線Ｘ方向への力が作用する。この力に対し、このＶ字状に形成された複数の溝７、７により、針先６及び針先基部５に矢印線Ｘ方向へ曲がりを許容することができる。この曲がり許容により、釣針１の破断を防ぐことができる。
【００２１】
また、第２の実施形態の溝７、７の形態は、図４（ａ）、（ｂ）に示すように、その深さ方向に向かって先細り状に形成されるものであるが、第１の実施形態と異なり、略Ｕ字状に形成される。この形態であっても、針先６及び針先基部５に矢印線Ｘ方向へ曲がりを許容することができ、破断を防ぐことができる。
【００２２】
図３に示すように、溝７、７の形態は、左側面視したとき、中央部分の略平坦の直線部７ａ、７ａと、その側方端に向かって溝幅が先細り状となる曲線部７ｂ、７ｂを有する。直線部７ａ、７ａは平坦である場合や大きなアールとしている場合を含む。その両側が曲線部７ｂ、７ｂを有することで、上記曲がりを許容する場合であっても、針の中央部分に力が集中し、一定の強度を保持することができる。
【００２３】
図５に示すように、第３の実施形態に係る釣針１は、左右側面に溝７、７を形成するものであってもよい。左右側面に溝７、７を形成する場合、左右の両側であってもよく、左右のどちらかの一方であってもよい。
【００２４】
針先基部５の溝７、７を形成する場合、当該部分を平坦加工したうえで、溝７、７を形成してもよい。この場合、針先基部５の溝７、７を形成する面は平坦面となる。溝７、７は、針先基部５に形成されるが、一部、針先６や先曲がり部４ｂの外側面に形成されていてもよい。
【００２５】
本実施形態の釣針１は、胴軸２の径が約０．４ｍｍ〜約１．０ｍｍのものであって、その重さが約１０ｍｇから１００ｍｇを超えるものにも実施することができる。なお、本考案の釣針１はこれらの径、重さに限定するものではない。
【００２６】
溝７、７が針先基部５に形成されるものであるため、ちもと部３や針先６の先端にその他の加工をすることを妨げるものではない。図示しないが、例えば、ちもと部３の中央に縦溝を形成したり、針先６を凸状形状に形成したりしてもよい。このように本考案に係る溝７、７は、従来からある釣針加工と親和性を有する。
【００２７】
本考案に係る溝７、７の作用について説明する。従来の釣針は、針先や針先基部５の内側面にカエシ（もどし）が形成されていた。このカエシ（もどし）により、釣った魚が逃げ難くしていた。ところが、このカエシ（もどし）により、釣った魚の口元に刺さり、激しく損傷させるため、いわゆるキャッチ・アンド・リリースをする場合にはそぐわない。そこで、カエシ（もどし）のないスレ針が用いられているが、このスレ針はカエシ（もどし）がないため、魚が逃げやすく、針が折れることが多い。
【００２８】
針が折れる場合、魚が食いついた後に逃げることにより針先６や先端基部５である針先付近に外側へ引っ張る力が作用する。溝７、７を形成することにより、釣針１の針先付近に外側へ引っ張る力が作用した場合、溝７、７によりこれを吸収し得るようにしたことで、この力に対して、釣針１の破断を防止することができる。
【符号の説明】
【００２９】
１…釣針
２…胴軸
３…ちもと部
４…湾曲部
４ａ…腰曲げ部
４ｂ…先曲げ部
５…針先基部
５ａ…外側面
５ｂ…内側面
６…針先
７…溝
７ａ…平坦部
７ｂ…先細り部
【図１】
0003203297.tif 000003
【図２】
0003203297.tif 000004
【図３】
0003203297.tif 000005
【図４】
0003203297.tif 000006
【図５】
0003203297.tif 000007
【手続補正書】
【提出日】平成28年1月8日(2016.1.8)
【手続補正１】
【補正対象書類名】明細書
【補正対象項目名】００２９
【補正方法】変更
【補正の内容】
【００２９】
１…釣針
２…胴軸
３…ちもと部
４…湾曲部
４ａ…腰曲げ部
４ｂ…先曲げ部
５…針先基部
５ａ…外側面
５ｂ…内側面
６…針先
７…溝
７ａ…直線部
７ｂ…曲線部